(57)【要約】【課題】硬貨処理装置の硬貨入出金部より受け皿内に出金されて集積された硬貨の取り出しを行う際に、指先の横から硬貨がこぼれ落ちることをなくし、一度で硬貨を取り出せるようにする。【解決手段】硬貨処理装置１３の硬貨入出金部１８におけるシャッタ２の開口部７および受け皿１において、利用者が操作する手前側のシャッタ２の開口部７の平面形状をＵ字型に形成し、さらに受け皿１の利用者が操作する手前側の平面形状をＵ字型に形成した。【選択図】図１
2008176529.tif 000002
【特許請求の範囲】
【請求項１】
利用者からの硬貨を収容する受け皿と、該受け皿の硬貨の投入口を被うシャッタとを備え、硬貨の入出金処理を行う硬貨処理装置において、
利用者が操作する手前側のシャッタの開口部の平面形状および受け皿の平面形状をＵ字型に形成したことを特徴とする硬貨処理装置。
【請求項２】
利用者が操作する手前側の前記受け皿の壁面が、シャッタ上面より上側まで延長していることを特徴とする請求項１記載の硬貨処理装置。
【請求項３】
前記受け皿の前記Ｕ字型の湾曲部に、利用者の手を検知するセンサーを設けたことを特徴とする請求項１および請求項２記載の硬貨処理装置。
【発明の詳細な説明】
【技術分野】
【０００１】
本発明は、硬貨入出金部に開閉可能なシャッタを設け、硬貨の入金処理および出金処理を行う硬貨処理装置に関する。
【背景技術】
【０００２】
従来、銀行などの金融機関に設置される現金自動取引装置に搭載される硬貨処理装置においては、入金時には硬貨入出金部から投入された入金硬貨を受け皿で一旦受け、この受け皿を反転させることにより装置内に取り込んで金種の判別を行い、金種別スタッカに収納する。また、出金時には、この金種別スタッカから必要な硬貨を受け皿内に出金するようになっている。（例えば、特許文献１参照）。
【特許文献１】特開平５−３３４５１８号公報
【発明の開示】
【発明が解決しようとする課題】
【０００３】
しかしながら、上記従来の硬貨処理装置の構成にあっては、図１１に示すようにシャッタ２の開口部７の形状は長方形（または正方形）となっている。そのため、硬貨入出金部１８より硬貨８の取り出しを行う際、開口部７の形状と取り出しを行う手の指先の形状がフィットせず、指先の横から硬貨８がこぼれ落ち易い傾向があり、何度も指を入れてかき出すようにしなければならなかった。
【０００４】
また、シャッタ２の開口部７と装置外面を構成する筐体６との間に段差または隙間が発生し易いため、硬貨８をかき出した後に手で握る際にこぼれ易い傾向があった。さらに受け皿１の両側面にハンド検知センサー５の発光器５ａおよび受光器５ｂを配置する都合上、硬貨処理装置１３に必要なユニット幅は、受け皿１の幅に加え、ハンド検知センサー５の配置の幅が必要となり、装置内の実装スペースを広くとっていた。
【課題を解決するための手段】
【０００５】
本発明は、前述の課題を解決するため次の構成を採用する。すなわち、利用者からの硬貨を収容する受け皿と、該受け皿の硬貨の投入口を被うシャッタとを備え、硬貨の入出金処理を行う硬貨処理装置において、利用者が操作する手前側のシャッタの開口部の平面形状および受け皿の平面形状をＵ字型に形成した。
【発明の効果】
【０００６】
本発明の硬貨処理装置によれば、利用者が操作する手前側のシャッタの開口部の平面形状および受け皿の平面形状をＵ字型に形成し、利用者が操作する手前側になるほど硬貨がまとまりやすく、手で硬貨をかき出す際に指先の形状にフィットさせて硬貨を取り出せるようにしたので、硬貨を取り出す際に利用者の手からこぼれ落ちることなく、一度で硬貨を取り出すことができる。
【発明を実施するための最良の形態】
【０００７】
以下、本発明に係わる実施の形態例を、図面を用いて説明する。図面に共通する要素には同一の符号を付す。なお、以下説明する硬貨処理装置の実施例の説明では、貨幣として一般に使用される硬貨を例として説明するがこれには限らない。例えば、遊戯施設などのコイン取扱装置などにおけるコインなどであってもよい。
【実施例１】
【０００８】
（構成）
図５は実施例１の現金自動取引装置の外観斜視図を示す。硬貨等の貨幣を取扱う現金自動取引装置１２には、硬貨入出金部１８、カード挿入部１４、通帳挿入部１５、紙幣入出金部１６、操作入力部１７等の取扱操作部が配置されている。
【０００９】
さらに、硬貨入出金部１８と対応する現金自動取引装置１２の筐体内には、本発明の硬貨処理装置１３が備えられており、図１に示す硬貨８による入出金処理が行えるようになっている。
【００１０】
図６は本実施例の硬貨処理装置の構成を概略的に示す断面図である。１８は硬貨入出金部であり、入金された硬貨８、または出金する硬貨８が利用者により投入あるいは取り出される。
【００１１】
１９は繰出部であり、硬貨入出金部１８の下方部位に配置されており、硬貨入出金部１８に投入された硬貨８を一時停留させ、硬貨８を１枚毎に分離して繰出すか、または取忘れ回収部２０に出金する。取忘れ回収部２０は繰出部１９の下部に配置されており、利用者が硬貨入出金部１８にて取忘れた硬貨８を収納する。
【００１２】
２５は検銭部であり、繰出部１９から繰出された硬貨８の金種および正損などの判別を行う。２７はゲート部であり、検銭部２５の金種判別結果に応じて、搬送されてきた硬貨８を金種別にそれぞれ振り分ける。
【００１３】
２１ａないし２１ｆは金銭別一時保留部であり、ゲート部２７の下部に配置され、ゲート部２７で振り分けられた硬貨８を金種別にそれぞれ振り分け一時集積する。
【００１４】
２８はリジェクトボックスであり、ゲート部２７より搬送された不良硬貨を保管する。２９は現金カセットであり、係員が硬貨８を補充あるいは回収するための機構を有しており、リジェクトボックス２８および現金カセット２９は硬貨処理装置１３に対して着脱可能に設置されている。
【００１５】
２３ａないし２３ｆは金種別スタッカであり、金種別一時保留部２１ａないし２１ｆの下部にそれぞれ対応して配置され、硬貨８を金種別に収納する。２２は搬送路であり、金種別スタッカ２３ａないし２３ｆの下部に配置され、現金カセット２９、あるいは、金種別スタッカ２３ａないし２３ｆから出金された硬貨８を繰出部１９へ搬送し、搬送路９により、繰出部１９に集積された硬貨８を硬貨入出金部１８に搬送する。
【００１６】
２４は搬送路であり、金銭別一時保留部２１ａないし２１ｆの下部に配置されている。そして、検銭部２５およびゲート部２７を通過してきた硬貨８、または金銭別一時保留部２１ａないし２１ｆから出金された硬貨８を搬送する。
【００１７】
２６は制御部であり、硬貨処理装置１３の上部に設けられ、本装置全体の制御を行う機能、および外部との間で情報の授受を行う通信機能などを有する。
【００１８】
図１は硬貨処理装置における硬貨入出金部の構成を概略的に示す上面図であり、図２は硬貨処理装置における硬貨入出金部の構成を概略的に示す断面図である。１は出金および入金される硬貨８を集積する受け皿であり、受け皿１の上部には図示しない駆動源により駆動されてスライドするシャッタ２が配置されている。
【００１９】
受け皿１の内面は、底面から利用者が操作する手前側のシャッタ２が閉まる位置の下までは段差なくなめらかな曲線で構成されており、硬貨８を手でかき出すときに引っ掛かりがないようにしている。６は筐体を示し、現金自動取引装置１２の外面を構成している。
【００２０】
３ａ、３ｂはシャッタ検知センサーであり、シャッタ検知センサー３ａ、３ｂがシャッタ２を検知した場合はシャッタ２が開いている状態を検出し、シャッタ検知センサー３ｂのみがシャッタ２を検知した場合はシャッタ２が閉じている状態を検出する。１１は搬送ローラであり、シャッタ２の開閉時にシャッタ２を搬送する構成となっている。
【００２１】
１０は硬貨出金口であり、シャッタ２が閉じている状態において、金種別スタッカ２３ａないし２３ｆより出金されて搬送路９にて搬送された硬貨８を受け皿１内に出金する。
【００２２】
７は硬貨８を入出するためのシャッタ２の開口部を示し、利用者が操作する手前側のシャッタ２の開口部７の平面形状および受け皿１の平面形状がＵ字型に形成されている。
【００２３】
４は残留検知センサーを示しており、発光器４ａより発光した光４ｃを受光器４ｂにて受光するようになっており、光４ｃが硬貨８に遮られることによって、受け皿１内に硬貨８が残留していることを検出するようになっている。
【００２４】
５はハンド検知センサーであり、発光器５ａより発光した光５ｃを受光器５ｂにて受光するようになっており、光５ｃが利用者の手に遮られることによって、受け皿１内に利用者の手が残留していることを検出するようになっている。
【００２５】
（動作）
以上の構成により、実施例１の硬貨処理装置は以下のように動作する。本動作を図１ないし図６を用いて以下説明する。
【００２６】
まず、利用者により現金自動取引装置１２の操作入力部１７が操作され、硬貨８の出金処理を指定すると、硬貨処理装置１３の制御部２６は硬貨８の出金動作を行わせる。すると金種別スタッカ２３ａないし２３ｆより指定の硬貨８が出金され、搬送路２２にて繰出部１９に搬送され、搬送路９にて硬貨入出金部１８の受け皿１へと出金される。
【００２７】
出金された硬貨８は受け皿１に一旦集積され、図示しない駆動源により駆動してシャッタ２が開き、利用者により硬貨８の取り出しが行われる。
【００２８】
このとき、硬貨８は受け皿１にバラバラの状態で集積されているが、受け皿１の内面は底面から利用者が操作する手前側のシャッタ２が閉まる位置の下までは段差なく滑らかな曲面で構成されているため、図３に示すように、指を揃えた状態で奥側から利用者が操作する手前側に指を持ってくればスムーズに硬貨８を掴むことができる。
【００２９】
そして図４に示すように、利用者が操作する手前側のシャッタ２の開口部７の平面形状および受け皿１の平面形状がＵ字型に形成されているため、利用者が操作する手前側になるほど硬貨８がまとまりやすく、手で硬貨８をかき出す際に指先の形にフィットさせて硬貨８を取り出せるようになっている。
【００３０】
硬貨８が全て取り出されると、残留検知センサー４は、発光器４ａより発光した光４ｃが硬貨８を検出することなく受光器４ｂにより受光することとなり、受け皿１の内部に硬貨８が取り残されていないと判断し、図示しない通信手段により制御部２６に情報を送信する。
【００３１】
さらに、ハンド検知センサー５は、発光器５ａより発光した光５ｃが利用者の手を検出することなく受光器５ｂにより受光することとなり、受け皿１に利用者の手が挿入されていないと判断し、図示しない通信手段にて制御部２６に情報を送信すると、図示しない駆動源により駆動してシャッタ２が閉まる。
【００３２】
（実施例１の効果）
以上詳細に述べたように、実施例１の硬貨処理装置によれば、利用者が操作する手前側のシャッタの開口部の平面形状および受け皿の平面形状をＵ字型に形成したので、利用者が操作する手前側になるほど硬貨がまとまりやすく、硬貨をかき出す際に指先の形にフィットさせて硬貨を取り出すことができ、こぼれ落ちることなく一度で硬貨を取り出すことができる。
【実施例２】
【００３３】
（構成）
図７は実施例２の硬貨処理装置における硬貨入出金部の構成を概略的に示す断面図である。３０は受け皿延長部であり、利用者が操作する手前側の受け皿１の壁面を、シャッタ２が閉まったときの状態より上面に出るように延長させた構成となっている。その他の構成は実施例１の硬貨処理装置１３と同様であるので、その説明を省略する。
【００３４】
（動作）
以上の構成により、実施例２の硬貨処理装置は、以下のように動作する。本動作を図５ないし図８を用いて以下説明する。
【００３５】
まず、実施例１と同様、利用者が現金自動取引装置１２の操作入力部１７を操作して所定の金額の出金を指定すると、硬貨処理装置１３の金種別スタッカ２３ａないし２３ｆより指定の硬貨８が受け皿１へと出金される。
【００３６】
そして、図示しない駆動源により駆動してシャッタ２を開口し、利用者が硬貨８を取り出すことを促す。
【００３７】
利用者が硬貨８を取り出すと、残留検知センサー４にて硬貨８が取り出されたことを検出し、ハンド検知センサー５にて利用者の手がないことを確認してシャッタ２を閉じる。このとき、利用者が操作する手前側の受け皿１の壁面に受け皿延長部３０を設けているので、図８に示すように筐体６との段差の影響を受けることなく、スムーズに硬貨８を取り出すことができる。
【００３８】
（実施例２の効果）
以上詳細に述べたように、実施例２の硬貨処理装置によれば、利用者が操作する手前側の受け皿１の壁面を、シャッタ２が閉まったときの状態より上面に出るように延長させた構成とし、筐体との段差をなくすようにしたので、指先の形にフィットさせた状態で、段差の影響を受けることなくスムーズに硬貨を取り出すことができる。
【実施例３】
【００３９】
（構成）
図９は実施例３の硬貨処理装置における硬貨入出金部の構成を概略的に示す上面図であり、図１０は硬貨処理装置における硬貨入出金部の構成を概略的に示す断面図である。
【００４０】
実施例３の硬貨処理装置１３の硬貨入出金部１８は、同図に示したようにＵ字型の湾曲部、すなわち利用者が操作する手前側の受け皿１の幅が細くなっている部分に、ハンド検知センサー５を配置するようにしている。
【００４１】
上記のように、ハンド検知センサー５を硬貨入出金部１８の側面に設置するのではなく、利用者が操作する手前側の受け皿１のＵ字型の湾曲部に配置するようにしているので、ユニット幅を小さく抑えることができる構成となっている。
【００４２】
その他の構成については実施例２の構成と同様であるので、その説明を省略する。
【００４３】
（動作）
以上の構成により、実施例３の硬貨処理装置は、以下のように動作する。本動作を、図５および図６並びに図９および図１０を用いて以下説明する。
【００４４】
まず、実施例１および実施例２と同様、利用者が現金自動取引装置１２の操作入力部１７を操作して所定の金額の出金を指定すると、硬貨処理装置１４の金種別スタッカ２３ａないし２３ｆより指定の硬貨８が受け皿１へと出金される。
【００４５】
そして、図示しない駆動源により駆動してシャッタ２を開口し、利用者が硬貨８を取り出すことを促す。
【００４６】
利用者が硬貨８を取り出すと、残留検知センサー４にて硬貨８が取り出されたことを検出し、ハンド検知センサー５にて利用者の手がないことを確認してシャッタ２を閉じる。
【００４７】
このとき、硬貨入出金部１８の幅は実施例１および実施例２と同様広くとっているので、指を広げたままで硬貨８を指の形にフィットさせ、スムーズに取り出すことができる。
【００４８】
（実施例３の効果）
以上詳細に述べたように、実施例３の硬貨処理装置によれば、ハンド検知センサーを利用者が操作する手前側の受け皿のＵ字型の湾曲部に配置するようにしたので、実施例１および実施例２の効果に加え、ハンド検知センサーを配置するためのスペースを少なくすることができる。
【産業上の利用可能性】
【００４９】
以上述べたように、本発明は、硬貨などを取扱う硬貨処理装置を搭載した自動取引装置などに広く用いることができる。
【図面の簡単な説明】
【００５０】
【図１】実施例１の硬貨処理装置における硬貨入出金部の構成を概略的に示す上面図である。
【図２】実施例１の硬貨処理装置における硬貨入出金部の構成を概略的に示す断面図である。
【図３】実施例１の硬貨入出金部の利用者の動作を説明する図である。
【図４】実施例１の硬貨入出金部の利用者の動作を説明する図である。
【図５】実施例１の現金自動取引装置の外観斜視図である。
【図６】実施例１の硬貨処理装置の構成を概略的に示す断面図である。
【図７】実施例２の硬貨処理装置における硬貨入出金部の構成を概略的に示す断面図である。
【図８】実施例１の硬貨入出金部の利用者の動作を説明する図である。
【図９】実施例３の硬貨処理装置における硬貨入出金部の構成を概略的に示す上面図である。
【図１０】実施例１の硬貨処理装置における硬貨入出金部の構成を概略的に示す断面図である。
【図１１】従来の硬貨処理装置における硬貨入出金部の構成を概略的に示す上面図である。
【符号の説明】
【００５１】
１    受け皿
２    シャッタ
５    ハンド検知センサー
７    開口部
８    硬貨
１３  硬貨処理装置
１８  硬貨入出金部
３０  受け皿延長部
【図１】
2008176529.tif 000003
【図２】
2008176529.tif 000004
【図３】
2008176529.tif 000005
【図４】
2008176529.tif 000006
【図５】
2008176529.tif 000007
【図６】
2008176529.tif 000008
【図７】
2008176529.tif 000009
【図８】
2008176529.tif 000010
【図９】
2008176529.tif 000011
【図１０】
2008176529.tif 000012
【図１１】
2008176529.tif 000013